(57)【要約】【課題】Ｗｅｂサイトを介して、旗を発注するシステムであって、最終的に完成する旗のイメージを依頼者に伝えることができるシステムを提供すること。【解決手段】サーバは、サンプル画像を表示することによって、旗のタイプを選択させるためのタイプ選択データをユーザ端末に送信する（Ｓ２０２）。ユーザ端末は、タイプ選択データに基づくタイプ選択画面を表示し（Ｓ１０２）、選択されたタイプをサーバに送信する（Ｓ１０３）。サーバは、選択されたタイプに対応するサンプル画像を表示させかつ注文情報を入力させるための注文情報入力データを、ユーザ端末に送信する（Ｓ２０４）。これによって、依頼者は、完成する旗をイメージしながら、注文できる。ユーザ端末は、入力された注文情報をサーバに送信する（Ｓ１０６）。【選択図】図４
2008020975.tif 000002
【特許請求の範囲】
【請求項１】
サーバにインターネットを介して接続されたユーザ端末を用いて、オリジナルの旗を発注するための旗Ｗｅｂ発注システムであって、
前記サーバは、
前記ユーザ端末のリクエストに応じて、サンプル画像から前記旗のタイプを選択させるためのタイプ選択データを前記ユーザ端末に送信するタイプ選択データ送信手段と、
前記ユーザ端末から送信されてくる選択されたタイプを受信して、受信したタイプに対応するサンプル画像が表示され、かつ前記旗の制作に必要な注文情報を入力させるための注文情報入力データを前記ユーザ端末に送信する注文情報入力データ送信手段とを備え、
前記ユーザ端末は、
前記タイプ選択データ送信手段から送信された前記タイプ選択データを受信して、当該タイプ選択データに対応する画面を表示するタイプ選択画面表示手段と、
前記タイプ選択画面表示手段によって表示された複数のタイプの中から選択されたタイプを前記サーバに送信する選択タイプ送信手段と、
前記注文情報入力データ送信手段から送信された前記注文情報入力データを受信して、当該注文情報入力データに対応する画面を表示する注文情報入力画面表示手段と、
前記注文情報入力画面表示手段に従って入力された注文情報を所定の受注用サーバに送信する注文情報送信手段とを備える、旗Ｗｅｂ発注システム。
【請求項２】
前記サーバは、作成された旗の修正情報を入力するためのデータであって、前記注文情報に基づいて作成された旗の画像データがリンクされたデータを、校正用データとして作成して、当該校正用データのＵＲＬを前記ユーザ端末に送信する校正用データ作成送信手段をさらに備え、
前記ユーザ端末は、前記校正用データのＵＲＬに対応するサイトを表示して、修正の有無、及び修正情報を前記サーバに送信する修正情報送信手段をさらに備えることを特徴とする、請求項１に記載の旗Ｗｅｂ発注システム。
【請求項３】
前記サーバは、前記校正用データを作成した後、所定の期間が経過するか否かを判断して、前記所定の期間が経過した場合、前記ユーザ端末に対して、修正の有無を連絡するように促す督促情報を送信する督促情報送信手段をさらに備えることを特徴とする、請求項２に記載の旗Ｗｅｂ発注システム。
【請求項４】
前記タイプ選択データ送信手段は、前記旗のタイプと共に、前記旗の使用期間を指定させるための情報を前記タイプ選択データに含ませて送信し、
前記サーバは、前記ユーザ端末から送信されてくる前記旗の使用期間を受信して、前記使用期間と前記旗のカット方法とが対応付けられた第１のデータベースに基づいて、指定された前記使用期間に対応するカット方法を選択するカット方法選択手段をさらに備え、
前記注文情報入力データ送信手段は、前記カット方法選択手段によって選択された前記カット方法が反映されたサンプル画像を表示させるようなデータを、前記注文情報入力データとして、前記ユーザ端末に送信することを特徴とする、請求項１に記載の旗Ｗｅｂ発注システム。
【請求項５】
前記サーバは、前記ユーザ端末によって、前記旗のタイプが指定された場合、前記旗のタイプと前記旗の仕立て方法とが対応付けられた第２のデータベースに基づいて、指定された前記タイプに対応する仕立て方法を選択する仕立て方法選択手段をさらに備え、
前記注文情報入力データ送信手段は、前記仕立て方法選択手段によって選択された仕立て方法が反映されたサンプル画像を表示させるようなデータを、前記注文情報入力データとして、前記ユーザ端末に送信することを特徴とする、請求項１に記載の旗Ｗｅｂ発注システム。
【請求項６】
インターネットを介して接続されたユーザ端末によって指示されるオリジナルの旗の制作を受注するためのサーバであって、
前記ユーザ端末のリクエストに応じて、サンプル画像から前記旗のタイプを選択させるためのタイプ選択データを前記ユーザ端末に送信するタイプ選択データ送信手段と、
前記ユーザ端末から送信されてくる選択されたタイプを受信して、受信したタイプに対応するサンプル画像が表示され、かつ前記旗の制作に必要な注文情報を入力させるための注文情報入力データを前記ユーザ端末に送信する注文情報入力データ送信手段とを備える、サーバ。
【請求項７】
サーバにインターネットを介して接続され、オリジナルの旗を発注するためのユーザ端末であって、
旗のサンプル画像が表示されかつ旗のタイプを選択するためのタイプ選択データを前記サーバから受信して、当該タイプ選択データに対応する画面を表示するタイプ選択画面表示手段と、
前記タイプ選択画面表示手段によって表示された複数のタイプの中から選択されたタイプを前記サーバに送信する選択タイプ送信手段と、
選択されたタイプに対応するサンプル画像が表示され、かつ当該旗の発注に必要な注文情報を入力させるための注文情報入力データを前記サーバから受信して、当該注文情報入力データに対応する画面を表示する注文情報入力画面表示手段と、
前記注文情報入力画面表示手段に従って入力された前記注文情報を所定の受注用サーバに送信する注文情報送信手段とを備える、ユーザ端末。
【請求項８】
サーバにインターネットを介して接続されたユーザ端末を用いて、オリジナルの旗を発注するための旗Ｗｅｂ発注システムでの処理方法であって、
前記サーバは、前記ユーザ端末のリクエストに応じて、サンプル画像から前記旗のタイプを選択させるためのタイプ選択データを前記ユーザ端末に送信し、
前記ユーザ端末は、前記サーバから送信された前記タイプ選択データを受信して、当該タイプ選択データに対応する画面を表示して、表示された複数のタイプの中から選択されたタイプを前記サーバに送信し、
前記サーバは、前記ユーザ端末から送信されてくる選択されたタイプを受信して、受信したタイプに対応するサンプル画像が表示され、かつ前記旗の制作に必要な注文情報を入力させるための注文情報入力データを前記ユーザ端末に送信し、
前記ユーザ端末は、前記サーバから送信された前記注文情報入力データを受信して、当該注文情報入力データに対応する画面を表示して、入力された注文情報を所定の受注用サーバに送信する、方法。
【発明の詳細な説明】
【技術分野】
【０００１】
本発明は、旗の制作を発注するためのシステムに関し、より特定的には、インターネットを用いて、旗の制作を発注するシステムに関する。
【背景技術】
【０００２】
従来、店舗前に宣伝のために取り付けられる幟などの宣伝旗や各種横断幕などの旗の製造を依頼する場合、依頼者は、製造業者に対して、大まかなデザインを口頭や書面で伝えていた。その上で、製造業者は、専用のシステムを用いて、依頼者の要望に応じた旗を製造していた。
【０００３】
専用のシステムの例としては、特許文献１に示されているようなシステムがある。特許文献１に示されるシステムは、依頼者の要望に応じた文字や画像等の情報を入力するための入力装置と、入力した情報に基づいて画像処理を行う画像形成装置と、形成された画像を旗に印刷する印刷装置とを備える。これにより、製造業者は、依頼者の要望に応じた旗を制作することができる。
【０００４】
また、オリジナルの旗を製造するシステムとして、特許文献２に示されているようなシステムがある。特許文献２に記載のシステムでは、画像処理プログラムを備えるコンピュータ装置を用いて、画像が加工され、オリジナルの旗が制作される。
【特許文献１】特開２００５−２７５１３９号公報  段落００２２〜００２４、図１、及び図３
【特許文献２】特開２０００−２７９３１４号公報  段落００１３、００１７、図２、及び図４
【発明の開示】
【発明が解決しようとする課題】
【０００５】
近年、インターネットの発達によって、Ｗｅｂサイトを介して、旗を発注したいという要望が高まりつつある。しかし、Ｗｅｂサイトを介して、旗を発注するシステムは、未だ提案されていない。また、Ｗｅｂサイトを介して、旗を発注するシステムでは、依頼者と製造業者とが対面することができないので、最終的に完成する旗のイメージを如何にして依頼者に伝えるかが重要となる。
【０００６】
それゆえ、本発明の目的は、Ｗｅｂサイトを介して、旗を発注するシステムであって、最終的に完成する旗のイメージを依頼者に伝えることができるシステムを提供することである。
【課題を解決するための手段】
【０００７】
上記課題を解決するために、本発明は、以下のような特徴を有する。本発明は、サーバにインターネットを介して接続されたユーザ端末を用いて、オリジナルの旗を発注するための旗Ｗｅｂ発注システムである。サーバは、ユーザ端末のリクエストに応じて、サンプル画像から旗のタイプを選択させるためのタイプ選択データをユーザ端末に送信するタイプ選択データ送信手段と、ユーザ端末から送信されてくる選択されたタイプを受信して、受信したタイプに対応するサンプル画像が表示され、かつ旗の制作に必要な注文情報を入力させるための注文情報入力データをユーザ端末に送信する注文情報入力データ送信手段とを備える。ユーザ端末は、タイプ選択データ送信手段から送信されたタイプ選択データを受信して、当該タイプ選択データに対応する画面を表示するタイプ選択画面表示手段と、タイプ選択画面表示手段によって表示された複数のタイプの中から選択されたタイプをサーバに送信する選択タイプ送信手段と、注文情報入力データ送信手段から送信された注文情報入力データを受信して、当該注文情報入力データに対応する画面を表示する注文情報入力画面表示手段と、注文情報入力画面表示手段に従って入力された注文情報を所定の受注用サーバに送信する注文情報送信手段とを備える。
【０００８】
本発明によれば、ユーザ端末には、旗のタイプを選択するためのサンプル画像が表示され、タイプが選択されたら、選択されたタイプのサンプル画像を表示しながら、注文情報を入力する画面が表示されることとなる。したがって、依頼者は、完成予定の旗をイメージしながら、旗を発注することができる。よって、最終的に完成する旗のイメージを依頼者に伝えることができるシステムが提供されることとなる。
【０００９】
好ましくは、サーバは、作成された旗の修正情報を入力するためのデータであって、注文情報に基づいて作成された旗の画像データがリンクされたデータを、校正用データとして作成して、当該校正用データのＵＲＬをユーザ端末に送信する校正用データ作成送信手段をさらに備え、ユーザ端末は、校正用データのＵＲＬに対応するサイトを表示して、修正の有無、及び修正情報をサーバに送信する修正情報送信手段をさらに備えるとよい。
【００１０】
これにより、依頼者は、注文情報に基づいて作成されたデザイン画像を閲覧することができるので、最終的に完成する旗のイメージをより強固なものとして、旗の制作を発注することができる。さらに、不満な点があれば、修正を依頼できるので、依頼者の要望に応じた旗を完成させることが期待できる。
【００１１】
好ましくは、サーバは、校正用データを作成した後、所定の期間が経過するか否かを判断して、所定の期間が経過した場合、ユーザ端末に対して、修正の有無を連絡するように促す督促情報を送信する督促情報送信手段をさらに備えるとよい。
【００１２】
これにより、ユーザによる確認漏れを防ぐことができ、未収問題を解決することが期待できる。
【００１３】
好ましくは、タイプ選択データ送信手段は、旗のタイプと共に、旗の使用期間を指定させるための情報をタイプ選択データに含ませて送信し、サーバは、ユーザ端末から送信されてくる旗の使用期間を受信して、使用期間と旗のカット方法とが対応付けられた第１のデータベースに基づいて、指定された使用期間に対応するカット方法を選択するカット方法選択手段をさらに備え、注文情報入力データ送信手段は、カット方法選択手段によって選択されたカット方法が反映されたサンプル画像を表示させるようなデータを、注文情報入力データとして、ユーザ端末に送信するとよい。
【００１４】
これにより、旗の使用期間に応じたカット方法が自動的に選択されることになるので、依頼者自らがカット方法という専門的な事項を理解しなくてもよくなる。さらに、カット方法が反映されたサンプル画像が表示されるので、依頼者は、最終的に完成する旗のイメージを認識することができる。
【００１５】
好ましくは、サーバは、ユーザ端末によって、旗のタイプが指定された場合、旗のタイプと旗の仕立て方法とが対応付けられた第２のデータベースに基づいて、指定されたタイプに対応する仕立て方法を選択する仕立て方法選択手段をさらに備え、注文情報入力データ送信手段は、仕立て方法選択手段によって選択された仕立て方法が反映されたサンプル画像を表示させるようなデータを、注文情報入力データとして、ユーザ端末に送信するとよい。
【００１６】
これにより、旗の仕立て方法が自動的に選択されることとなるので、依頼者自らが仕立て方法という専門的な事項を理解しなくてもよくなる。さらに、仕立て方法が反映されたサンプル画像が表示されるので、依頼者は、最終的に完成する旗のイメージを認識することができる。
【００１７】
また、本発明は、インターネットを介して接続されたユーザ端末によって指示されるオリジナルの旗の制作を受注するためのサーバであって、ユーザ端末のリクエストに応じて、サンプル画像から旗のタイプを選択させるためのタイプ選択データをユーザ端末に送信するタイプ選択データ送信手段と、ユーザ端末から送信されてくる選択されたタイプを受信して、受信したタイプに対応するサンプル画像が表示され、かつ旗の制作に必要な注文情報を入力させるための注文情報入力データをユーザ端末に送信する注文情報入力データ送信手段とを備える。
【００１８】
また、本発明は、サーバにインターネットを介して接続され、オリジナルの旗を発注するためのユーザ端末であって、旗のサンプル画像が表示されかつ旗のタイプを選択するためのタイプ選択データをサーバから受信して、当該タイプ選択データに対応する画面を表示するタイプ選択画面表示手段と、タイプ選択画面表示手段によって表示された複数のタイプの中から選択されたタイプをサーバに送信する選択タイプ送信手段と、選択されたタイプに対応するサンプル画像が表示され、かつ当該旗の発注に必要な注文情報を入力させるための注文情報入力データをサーバから受信して、当該注文情報入力データに対応する画面を表示する注文情報入力画面表示手段と、注文情報入力画面表示手段に従って入力された注文情報を所定の受注用サーバに送信する注文情報送信手段とを備える。
【００１９】
また、本発明は、サーバにインターネットを介して接続されたユーザ端末を用いて、オリジナルの旗を発注するための旗Ｗｅｂ発注システムでの処理方法であって、サーバは、ユーザ端末のリクエストに応じて、サンプル画像から旗のタイプを選択させるためのタイプ選択データをユーザ端末に送信し、ユーザ端末は、サーバから送信されたタイプ選択データを受信して、当該タイプ選択データに対応する画面を表示して、表示された複数のタイプの中から選択されたタイプをサーバに送信し、サーバは、ユーザ端末から送信されてくる選択されたタイプを受信して、受信したタイプに対応するサンプル画像が表示され、かつ旗の制作に必要な注文情報を入力させるための注文情報入力データをユーザ端末に送信し、ユーザ端末は、サーバから送信された注文情報入力データを受信して、当該注文情報入力データに対応する画面を表示して、入力された注文情報を所定の受注用サーバに送信する。
【発明の効果】
【００２０】
本発明によれば、Ｗｅｂサイトを介して、旗を発注するシステムであって、最終的に完成する旗のイメージを依頼者に伝えることができるシステムが提供される。
【００２１】
本発明のこれらおよび他の目的、特徴、局面、効果は、添付図面と照合して、以下の詳細な説明から一層明らかになるであろう。
【発明を実施するための最良の形態】
【００２２】
以下、図面を参照しながら、本発明の実施形態について説明する。図１は、本発明の実施形態に係る旗Ｗｅｂ発注システムの全体構造を示す図である。図１において、旗Ｗｅｂ発注システムは、複数のユーザ端末１と、サーバ２と、インターネット３とを具備する。ユーザ端末１とサーバ２とは、インターネット３を介して、相互に通信可能に接続されている。なお、図１では、ユーザ端末１は、３つであるとしたが、一以上であればよい。
【００２３】
図２は、ユーザ端末１の構成を示すブロック図である。図２において、ユーザ端末は、中央処理部１１と、記憶部１２と、通信部１３と、入力部１４と、出力部１５とを備える。中央処理部１１は、ユーザ端末１全体の動作を制御する。記憶部１２は、メモリやハードディスク等の記録装置であって、少なくとも、Ｗｅｂブラウザ機能を有するプログラムを格納している。通信部１３は、ユーザ端末１がインターネット３を介して、サーバ２やその他の装置と通信するための機能を提供する。入力部１４は、キーボードやマウス、ＵＳＢ（Ｕｎｉｖｅｒｓａｌ  Ｓｅｒｉａｌ  Ｂｕｓ）接続機器等であって、各種データや情報を入力するための装置である。出力部１５は、液晶ディスプレイやプリンタ等である。記憶部１２に格納されているプログラムが中央処理部１１で実行されることによって、本発明の実施形態におけるユーザ端末１の動作が実現される。なお、あくまでもＷｅｂブラウザ機能を有するプログラムは一例であって、サーバ２と通信することができるプログラムであれば、これに限定されるものではない。
【００２４】
図３は、サーバ２の構成を示すブロック図である。図３において、サーバ２は、中央処理部２１と、記憶部２２と、通信部２３と、入力部２４と、出力部２５とを備える。中央処理部２１は、サーバ２全体の動作を制御する。記憶部２２は、メモリやハードディスク等の記録装置である。記憶部２２には、ユーザ端末１からのリクエストに応じて要求されている情報を送信するためのプログラムが格納されている。また、記憶部２２は、ユーザ端末１から送信されてくる情報を格納することができる。さらに、記憶部２２は、ユーザ端末１に対して、電子メールを送信することができるプログラムが格納されている。通信部２３は、サーバ２がインターネット３を介して、ユーザ端末１や他のサーバ、発注者以外の端末と通信するための機能を提供する。入力部２４は、キーボードやマウス、ＵＳＢ接続機器等であって、各種データや情報を入力するための装置である。出力部２５は、液晶ディスプレイやプリンタ等である。記憶部２２に格納されている各種プログラムが中央処理部２１で実行されることによって、本発明の実施形態におけるサーバ２の動作が実現される。
【００２５】
図４は、ユーザ端末１及びサーバ２の動作を示すフローチャートである。以下、図４を参照しながら、ユーザ端末１及びサーバ２の動作について説明する。
【００２６】
まず、ユーザ端末１は、旗Ｗｅｂ発注システムを提供するサーバ２のＵＲＬ（Ｕｎｉｆｏｒｍ  Ｒｅｓｏｕｒｃｅ  Ｌｏｃａｔｏｒ）を指定することによって、サーバ２に対して、旗Ｗｅｂ発注に必要なＨＴＭＬ（ＨｙｐｅｒＴｅｘｔ  Ｍａｒｋｕｐ  Ｌａｎｇｕａｇｅ）データをリクエストする（ステップＳ１０１）。なお、本実施形態では、ユーザ端末１とサーバ２との間では、ＨＴＴＰ（ＨｙｐｅｒＴｅｘｔ  Ｔｒａｎｓｆｅｒ  Ｐｒｏｔｏｃｏｌ）プロトコルに従って、ＨＴＭＬデータが送受信されることとするが、その他のマークアップ言語で記述されたデータが用いられても良いし、それ以外のデータ形式が用いられても良い。なお、以下の説明では、簡単のために、ユーザ端末１（サーバ２）から、サーバ２（ユーザ端末１）に対して、ＨＴＴＰプロトコルに従って、データが送信されることを、ユーザ端末１（サーバ２）から、サーバ２（ユーザ端末１）に対して、データが送信されるということとする。
【００２７】
サーバ２は、ユーザ端末１からのリクエストを受信し（ステップＳ２０１）、ＨＴＭＬで記述されたタイプ選択データをユーザ端末１に送信する（ステップＳ２０２）。タイプ選択データは、発注可能な複数種類（タイプ）の旗のサンプル画像をユーザ端末１に表示させ、サンプル画像から旗のタイプを選択させるためのデータである。
【００２８】
タイプ選択データが送信されてくると、ユーザ端末１は、タイプ選択データに対応する画面（以下、タイプ選択画面という）を表示する（ステップＳ１０２）。ユーザによって、発注したい旗のタイプが選択されると、ユーザ端末１は、選択されたタイプをサーバ１に送信する（ステップＳ１０３）。
【００２９】
サーバ２は、ユーザ端末１から送信されてくる選択されたタイプを受信する（ステップＳ２０３）。次に、サーバ２は、選択されたタイプに対応するサンプル画像が表示され、かつ、旗の制作に必要な情報（以下、注文情報という）を入力させるためのＨＴＭＬで記述されたデータ（以下、注文情報入力データという）を、ユーザ端末１に送信する（ステップＳ２０４）。
【００３０】
注文情報入力データが送信されてくると、ユーザ端末１は、注文情報入力データに対応する画面（以下、注文情報入力画面）を表示する（ステップＳ１０４）。注文情報が入力されると（ステップＳ１０５）、ユーザ端末１は、入力された注文情報をサーバ２に送信する（ステップＳ１０６）。注文情報には、たとえば、選択されたサンプル画像に関する情報、旗に印刷する文字に関する情報、旗の色に関する情報、旗に印刷する画像に関する情報、発注者に関する情報が含まれている。
【００３１】
サーバ２は、ユーザ端末１から送信されてくる注文情報を受信して、受信した注文情報を記憶部２２に一時的に格納する（ステップＳ２０５）。次に、サーバ２は、注文情報の内容を確認するためのデータ（以下、確認データという）をユーザ端末１に送信する（ステップＳ２０６）。
【００３２】
確認データが送信されてくると、ユーザ端末１は、確認データに対応する画面（以下、確認画面という）を表示する（ステップＳ１０７）。確認画面に表示されている情報に間違いがなければ、ユーザ端末１は、注文を確定する情報をサーバ２に送信する（ステップＳ１０８）。なお、確認画面に表示されている情報に間違いがある場合は、サーバ２がステップＳ２０４の動作に戻るなどして、注文情報を再入力したり、修正したりできるようにすればよい。
【００３３】
サーバ２は、注文を確定する情報を受信し（ステップＳ２０７）、一時格納していた注文情報を確定的に格納して（ステップＳ２０８）、注文を受け付けた旨の確認メールをユーザ端末１に対して送信する（ステップＳ２０９）。ユーザ端末１は、確認メールを受信する（ステップＳ１０９）。
【００３４】
図４に示す動作によって、サーバ２は、旗の制作に必要な注文情報を取得することができる。製造業者は、サーバ２が受信した注文情報に従って、画像処理ソフト等を利用して、旗制作用のデザイン画像データを作成する。
【００３５】
図５は、デザイン画像が作成された後のサーバ２及びユーザ端末１の動作を示すフローチャートである。以下、図５を参照しながら、デザイン画像データが作成された後のサーバ２及びユーザ端末１の動作について説明する。
【００３６】
まず、サーバ２にデザイン画像が入力され（ステップＳ３０１）、サーバ２は、ＨＴＭＬで記述された校正用データを作成し、格納する（ステップＳ３０２）。校正用データには、たとえば、デザイン画像データへのリンク情報、及びデザイン画像の修正に関する情報が含まれている。修正に関する情報として、修正を行うことができる残りの回数が含まれている。校正用データが格納されている場所を校正用ＵＲＬという。サーバ２は、校正用ＵＲＬと校正用ＵＲＬにアクセスするためのパスワードとを、電子メール等を利用して、ユーザ端末１に送信する（ステップＳ３０３）。なお、校正用ＵＲＬへのアクセスが制限されているのであれば、パスワードは、送信されなくてもよい。また、パスワードは、セキュアな通信経路で送信されるとよい。
【００３７】
校正用ＵＲＬ及びパスワードを受信すると（ステップＳ４０１）、ユーザ端末１は、ユーザの指示に従って、校正用ＵＲＬにアクセスする（ステップＳ４０２）。
【００３８】
サーバ２は、ユーザ端末１からのリクエストを受信し（ステップＳ３０４）、校正用データをユーザ端末１に送信する（ステップＳ３０５）。
【００３９】
ユーザ端末１は、校正用データを受信し（ステップＳ４０３）、校正用データに対応する画像（以下、校正画面という）を表示する（ステップＳ４０４）。これによって、校正用データのＵＲＬに対応するサイトが表示される。次に、ユーザ端末１は、ユーザの指示が修正有りであるか否かを判断し、修正が有る場合、ユーザの入力した修正に関する情報（以下、修正情報という）をサーバ２に送信する（ステップＳ４０６）。修正情報には、修正後のキャッチコピーや、修正後のタイプ、修正後の色に関する情報が含まれている。一方、修正が無い場合、ユーザ端末１は、注文した旗を確定する指示をサーバ２に送信する（ステップＳ４０７）。
【００４０】
サーバ２は、確定指示を受信し（ステップＳ３０６）、校正チェックが完了し、旗の制作に入る旨の確認メールをユーザ端末１宛に送信する（ステップＳ３０７）。ユーザ端末１は、当該確認メールを受信する（ステップＳ４０８）。
【００４１】
図６は、ユーザ端末１によって修正情報が送信されたときのサーバ２の動作を示すフローチャートである。以下、図６を参照しながら、ユーザ端末１によって修正情報が送信されたときのサーバ２の動作について説明する。
【００４２】
サーバ２は、修正情報を受信して、記憶部２２に格納する（ステップＳ５０１）。修正情報に基づいて、製造業者によって、デザイン画像データが修正され、修正後のデザイン画像データが入力される（ステップＳ５０２）。その後、サーバ２は、修正できる回数が残っているか否かを判断する（ステップＳ５０３）。残っている場合、追加の修正指示ができる校正用データ（以下、修正有効校正用データという）を作成して（ステップＳ５０４）、ステップＳ５０６の動作に進む。一方、残っていない場合、追加の修正指示ができないような校正用データ（以下、修正無効校正用データ）を作成して（ステップＳ５０５）、ステップＳ５０６の動作に進む。
【００４３】
ステップＳ５０６において、サーバ２は、ユーザ端末１に対して、作成した校正用データの校正用ＵＲＬ及びパスワードを送信する（ステップＳ５０６）。その後、ユーザ端末１は、図５に示すステップＳ４０１以後の動作を実行する。ユーザ端末１によって確定指示がなされた場合、サーバ２は、当該確定指示を受信し（ステップＳ５０７）、確認メールをユーザ端末１宛に送信する（ステップＳ５０８）。
【００４４】
図７は、タイプ選択画面の一例を示す図である。図７に示すように、タイプ選択画面は、旗のサンプル画像が１以上表示される。図７では、写真が大きいＡタイプ、写真が小さいＢタイプ、キャッチコピーが大きいＣタイプ、及びサイズが大きいＤタイプに関するサンプル画像が表示されているとしている。このように、タイプ選択データは、サンプル画像を一以上表示して、当該サンプル画像から旗のタイプを選択させるためのデータとなっている。当然、タイプ選択画面は、図７のような形式に限定されるものではない。
【００４５】
図８及び図９は、注文情報入力画面の一例を示す図である。図８に示す画面例と図９に示す画面例とは、スクロールによって表示される。タイプ選択画面によって、Ａタイプの旗が選択されたとする。そのとき、ユーザ端末１は、選択されたタイプをサーバ２に送信する（図４のステップＳ１０３参照）。選択されたタイプを受信したサーバ２は、選択されたタイプに対応するサンプル画像が表示され、かつ注文情報を入力するために必要な注文情報入力データをユーザ端末１に送信する（ステップＳ２０４）。図８及び図９に示すように、選択されたタイプに対応するサンプル画像が画面左側に表示されている。画面左側のサンプル画像を閲覧しながら、ユーザは、注文情報を入力する。サンプル画像には、
注文情報の入力項目に対応する説明が付記されている。注文情報の入力項目として、「ベース」の色、「キャッチコピー大」欄の文章・書体・色、「キャッチコピー小」欄の文章・書体・色、「店名」欄の文章・書体・色・ロゴの有無、「オリジナル写真」欄で使用するデータに関する情報、お届け先情報等が設けられている。このような注文情報を入力することができるように、注文情報入力データは生成されている。注文情報の入力が完了したら、ユーザによって注文ボタンがクリックされ、注文情報がユーザ端末１からサーバ２に送信される（図４のステップＳ１０６参照）。注文情報を受信したサーバ２は、確認データをユーザ端末に送信する（図４のステップＳ２０６参照）。ユーザ端末１による確認作業が完了し、注文が決定すれば（図４のステップＳ１０８参照）、注文情報に基づいたデザイン画像データの作成が行われる。デザイン画像データの作成が完了すると、サーバ２は、デザイン画像が表示され、かつ修正に関する情報を表示するための校正用データを作成して、校正用ＵＲＬをユーザ端末１に送信する（図５のステップＳ３０２，３０３参照）。なお、図８及び図９に示す注文情報入力画面はあくまでも一例であって、これに限定されるものではない。
【００４６】
図１０は、ユーザ端末１によって表示される校正画面の一例を示す図である。図１０に示すように、校正画面の左側にデザイン画像が表示され、校正画面の右側に修正に関する情報が表示される。また、校正画面には、残りの修正回数が表示されている。表示されている回数内であれば、ユーザは、デザイン画像を修正することができる。修正がある場合、修正ボタンがクリックされ、ユーザ端末１は、入力結果に応じた修正情報をサーバ２に送信する（図５のステップＳ４０６参照）。一方、修正がない場合、ＯＫボタンがクリックされ、ユーザ端末１は、確定指示をサーバ２に送信する（図５のステップＳ４０７）。なお、図１０に示す校正画面はあくまでも一例であって、これに限定されるものではない。
【００４７】
デザイン画像の修正後、サーバ２は、修正残り回数をカウントして、残りがなければ、図１０の右欄の項目１〜６を表示しなかたり、右下部に示されている修正残り回数を０回にするなどした修正無効校正用データを作成して、ユーザ端末に送信する（図６のステップＳ５０５及びＳ５０６参照）。一方、修正残り回数がある場合、図１０に示す画像と同様の画像を表示するための修正有効校正用データを作成して、ユーザ端末に送信する（図６のステップＳ５０４及びＳ５０６参照）。
【００４８】
以上、本実施形態によれば、旗のタイプを選択させるためのサンプル画像が表示されるので、依頼者は、当該サンプル画像を閲覧して、完成する旗をイメージすることができる。さらに、注文情報を入力する際も、選択したタイプに対応するサンプル画像が表示されるので、完成する旗をイメージすることができる。その上で、注文情報が入力され、サーバ２から送信されてくる注文情報に応じたデザイン画像を依頼者はさらに閲覧することができる。これによって、最終的に完成する旗のイメージを依頼者は完全に認識することができる。
【００４９】
なお、本実施形態は以下のように変形可能である。
【００５０】
図１１は、本実施形態の第１の変形例におけるサーバ２の動作を示すフローチャートである。以下、図１１を参照しながら、第１の変形例におけるサーバ２の動作について説明する。第１の変形例において、サーバ２は、ユーザ端末１に対して、タイプの選択と共に、旗を使用する期間を指定させるものとする。従って、ユーザ端末１は、タイプ及び旗の使用期間を含むタイプ選択データをサーバ２に送信する。サーバ２は、ユーザ端末１によって選択された旗のタイプ及び旗の使用期間を受信すると（ステップＳ６０１）、旗のカット方法を第１のデータベースから選択する（ステップＳ６０２）。第１のデータベースは、サーバ２の記憶部２２に格納されており、旗の使用期間に対応させて、旗のカット方法を登録している。従って、サーバ２は、指定された使用期間に対応する旗のカット方法を、第１のデータベースから選択することができる。使用期間が長ければ、耐久性に優れたカット方法が選択されるように、第１のデータベースは構成されている。カット方法に応じて、旗の切り口処理の仕方が異なる。したがって、できあがる旗のイメージもカット方法に応じて異なることとなる。したがって、サーバ２は、ステップＳ６０２で選択されたカット方法が反映されたサンプル画像が表示されるように、注文情報入力データにおけるサンプル画像へのリンクを形成して、作成した注文情報入力データをユーザ端末１に送信する（ステップＳ６０３）。これに応じて、ユーザ端末１は、指定した使用期間に対応するカット方法が反映されたサンプル画像を表示することができる。よって、依頼者は、そのサンプル画像を閲覧することによって、より正確に、最終的に完成する旗をイメージすることができる。また、旗の使用期間に応じたカット方法が自動的に選択されることになるので、依頼者自らがカット方法という専門的な事項を理解しなくてもよくなる。
【００５１】
図１２は、本実施形態の第２の変形例におけるサーバ２の動作を示すフローチャートである。以下、図１２を参照しながら、第２の変形例におけるサーバ２の動作について説明する。サーバ２は、選択されたタイプを受信する（ステップＳ７０１）。次に、サーバ２は、選択されたタイプに対応する仕立て方法を第２のデータベースから選択する（ステップＳ７０２）。第２のデータベースは、サーバ２の記憶部２２に格納されており、タイプに対応させて、旗の仕立て方法を登録している。従って、サーバ２は、選択されたタイプに対応する旗の仕立て方法を、第２のデータベースから選択することができる。仕立て方法とは、たとえば、ある特定のサイズの幟であれば、チチをどのようにいくつ配置するかといった、旗の仕上げに関する方法のことをいう。たとえば、チチの配置される位置によっては、文字や写真を適切に配置しないと、文字や写真がチチに隠れてしまう可能性がある。なお、当然、この例に限られない。第２の変形例において、サーバ２は、仕立て方法が反映されたサンプル画像を注文情報入力データにリンクさせて送信する（ステップＳ７０３）。これによって、仕立て方法が反映されたサンプル画像がユーザ端末１に表示されることとなる。よって、依頼者は、そのサンプル画像を閲覧することによって、より正確に、最終的に完成する旗をイメージすることができる。また、旗の仕立て方法が自動的に選択されることとなるので、依頼者自らが仕立て方法という専門的な事項を理解しなくてもよくなる。
【００５２】
図１３は、本実施形態の第３の変形例におけるサーバ２の動作を示すフローチャートである。以下、図１３を参照しながら、第３の変形例におけるサーバ２の動作について説明する。サーバ２は、校正用ＵＲＬを送信した（ステップＳ８０１）後、校正結果を返信して欲しい所定の期間（以下、校正バック期間という）が経過したか否かを判断する（ステップＳ８０２）。校正バック期間が経過していない場合、サーバ２は、ステップＳ８０２の動作に戻る。一方、校正バック期間が経過している場合、サーバ２は、ユーザ端末に対して、修正の有無を連絡するように促す督促メール（督促情報）を送信する（ステップＳ８０３）。これによって、ユーザによる確認漏れを防ぐことができ、未収問題を解決することが期待できる。
【００５３】
なお、上記実施形態では、サーバ２は、タイプ選択データを送信した後、注文情報入力データを送信することとしたが、本発明は、これに限定されるものではない。たとえば、サーバ２は、タイプ選択データを含ませた注文情報入力データを送信して、ユーザ端末１によってタイプが選択されたら、選択されたタイプに対応するサンプル画像が表示され、かつ注文情報を入力するための注文情報入力データを再度送信して、タイプに対応した注文情報の入力を促しても良い。サーバ２及びユーザ端末１は、ユーザに、サンプル画像から旗のタイプを選択させ、注文情報を入力させるのであれば、あらゆる動作に変形可能である。
【００５４】
なお、上記実施形態では、サーバ２が注文情報を受信することとしたが、注文情報を受信するサーバは、サーバ２以外であってもよい。すなわち、ユーザ端末１は、注文情報を予め定められた所定の受注用サーバに送信すればよい。所定の受注用サーバは、サーバ２であってもよいし、それ以外のサーバであってもよい。
【００５５】
なお、上記実施形態に示した動作は、専用のハードウエアによって実現されてもよい。
【００５６】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００５７】
旗Ｗｅｂ発注システム並びにそれに用いられるサーバ、ユーザ端末、及び方法は、Ｗｅｂサイトを介して、所望の旗を発注することができ、産業上利用可能である。
【図面の簡単な説明】
【００５８】
【図１】本発明の実施形態に係る旗Ｗｅｂ発注システムの全体構造を示す図
【図２】ユーザ端末１の構成を示すブロック図
【図３】サーバ２の構成を示すブロック図
【図４】ユーザ端末１及びサーバ２の動作を示すフローチャート
【図５】デザイン画像が作成された後のサーバ２及びユーザ端末１の動作を示すフローチャート
【図６】ユーザ端末１によって修正情報が送信されたときのサーバ２の動作を示すフローチャート
【図７】タイプ選択画面の一例を示す図
【図８】注文情報入力画面の一例を示す図
【図９】注文情報入力画面の一例を示す図
【図１０】ユーザ端末１によって表示される校正画面の一例を示す図
【図１１】本実施形態の第１の変形例におけるサーバ２の動作を示すフローチャート
【図１２】本実施形態の第２の変形例におけるサーバ２の動作を示すフローチャート
【図１３】本実施形態の第３の変形例におけるサーバ２の動作を示すフローチャート
【符号の説明】
【００５９】
１  ユーザ端末
２  サーバ
３  インターネット
【図１】
2008020975.tif 000003
【図２】
2008020975.tif 000004
【図３】
2008020975.tif 000005
【図４】
2008020975.tif 000006
【図５】
2008020975.tif 000007
【図６】
2008020975.tif 000008
【図７】
2008020975.tif 000009
【図８】
2008020975.tif 000010
【図９】
2008020975.tif 000011
【図１０】
2008020975.tif 000012
【図１１】
2008020975.tif 000013
【図１２】
2008020975.tif 000014
【図１３】
2008020975.tif 000015